(57)【要約】【課題】間伐材等の木材を有効に利用して、石材の崩れ落ちを防止できるようにする。【解決手段】堤防等１の法面２に、横方向に延在する横木材１１，１３が縦方向に所定の間隔で配置され、縦方向に延在する縦木材１２が横方向に所定の間隔で配置され、これら横木材１１，１３と縦木材１２とが格子状に重ねられて相互に連結されてなる木製枠体１０が設けられて、この木製枠体１０の横木材１１を乗り越えながら法面２に接地するシート状体１６が設けられ、上記横木材１１，１３と縦木材１２との間に形成される格子開口１７に、法面保護用兼シート状材重し用の石材１８が並べ置かれている。【選択図】  図１
2004270408.tif 000002
【特許請求の範囲】
【請求項１】
堤防等の法面に、横方向に延在する横木材が縦方向に所定の間隔で配置され、縦方向に延在する縦木材が横方向に所定の間隔で配置され、これら横木材と縦木材とが格子状に重ねられて相互に連結されてなる木製枠体が設けられて、この木製枠体の各横木材若しくは各縦木材を乗り越えながら法面に接地するシート状材が設けられ、上記横木材と縦木材との間に形成される格子開口に、法面保護用兼シート状材重し用の石材が並べ置かれていることを特徴とする堤防等の法面保護構造。
【発明の詳細な説明】
【０００１】
【発明の属する技術分野】
本発明は、間伐材等の木材を利用した堤防等の法面保護構造に関する。
【０００２】
【従来の技術】
図５に示すように、ため池のような堤防等１の法面２の勾配は、比較的緩やかに形成されていて、この法面２を保護するために、小石やコンクリートブロックのような石材を３を並べ置いている。
【０００３】
このような石材３を並べ置くだけでは、石材３が崩れ落ちることがあるので、法面２に多数本の杭４を打って、石材３の崩れ落ちを防止している。
【０００４】
また、コンクリート製の法枠材を並べて格子状の枠体を形成し、この枠体の中に、粘度ブロックやセラミックブロックを埋め込むものもある（例えば、特許文献１参照）。
【０００５】
【特許文献１】
特開平１１−７１７６１号公報
【０００６】
【発明が解決しようとする課題】
しかしながら、前者の従来技術では、堤防等２内に遮水用の鋼（はがね）土５が埋設されているような場合には、杭４で鋼土５を傷つけるおそれがあることから、杭４を打つことができないので、石材３の崩れ落ちを防止することができないという問題がある。
【０００７】
また、後者の従来技術では、枠体がコンクリート製で重量物であるから、現場への搬入、現場での組み立てが重労働になって、施工費が高く施工期間が長くなるという問題がある。
【０００８】
本発明は、上記問題を解消するためになされたもので、間伐材等の木材を有効に利用して、石材の崩れ落ちを防止できる堤防等の法面保護構造を提供することを課題とするものである。
【０００９】
【課題を解決するための手段】
上記課題を解決するために、本発明は、堤防等の法面に、横方向に延在する横木材が縦方向に所定の間隔で配置され、縦方向に延在する縦木材が横方向に所定の間隔で配置され、これら横木材と縦木材とが格子状に重ねられて相互に連結されてなる木製枠体が設けられて、この木製枠体の各横木材若しくは各縦木材を乗り越えながら法面に接地するシート状材が設けられ、上記横木材と縦木材との間に形成される格子開口に、法面保護用兼シート状材重し用の石材が並べ置かれていることを特徴とする堤防等の法面保護構造を提供するものである。
【００１０】
【発明の作用および効果】
本発明によれば、堤防等の法面に、横木材と縦木材とを格子状に重ねて相互に連結してなる木製枠体を設けて、各横木材若しくは各縦木材を乗り越えながらシート状材を法面に接地させて、横木材と縦木材との間に形成される格子開口に、法面保護用兼シート状材重し用の石材が並べ置くことにより、格子開口で石材の崩れ落ちが有効に防止できるようになる。
【００１１】
また、石材の重さでシート状材を押さえ込み、このシート状材で各横木材若しくは各縦木材を押さえ込むようになるから、木製枠体が水に浸かっても、その浮き上がりを防止できるので、木製枠体の浮き上がりを防止するために、法面に杭を打つ必要がなくなる。
【００１２】
さらに、各木材は軽量であるので、現場への搬入、現場での組み立てが簡単になって、施工費の低減や施工期間の短縮が図れるとともに、間伐材を利用すればより安価である。
【００１３】
【発明の実施の形態】
以下、本発明の実施の形態を図面を参照して詳細に説明する。なお、先行技術と同一構成・作用の箇所は同一番号を付して詳細な説明は省略する。
【００１４】
図１（ａ）は木製枠体１０の平面図、図１（ｂ）は正面図、図２は側面図、図３は要部拡大側面図、図４は、木製枠体１０をため池のような堤防等１の法面２に設置した側面図である。
【００１５】
上記木製枠体１０は、それぞれが複数本（本例では各１１本）の下段横木材１１と中段縦木材１２と上段横木材１３とで３段積層されて構成されている。なお、２段や４段以上の多段積層であっても差し支えない。また、下段と上段を縦木材１２とし、中段を横木材１１としても良い。
【００１６】
上記各木材１１，１２，１３は、例えば全長が１０ｍ程度の長さであり、したがって、木製枠体１０は、例えば１０ｍ角程度の広さである。なお、各木材１１，１２，１３は、１０ｍ長さの１本物である必要はなく、例えば１〜２ｍ長さの物を繋ぐこともできる。
【００１７】
上記各木材１１，１２，１３は、間伐材などの丸太（例えば直径１２０ｍｍ程度）が好ましいが、角材や板材に加工したもの、これらの組み合わせであっても良い。
【００１８】
上記下段横木材１１は、堤防等１の法面２に沿って、横（左右）方向に延在させながら縦（上下）方向に所定の間隔（例えば１ｍ間隔）で配置する。また、上記中段縦木材１２は、先に配置した下段横木材１１の上に載せて、縦（上下）方向に延在させながら横（左右）方向に所定の間隔（例えば１ｍ間隔）で配置する。さらに、上記上段横木材１３は、先に配置した中段縦木材１２の上に載せて、横（左右）方向に延在させながら縦（上下）方向に所定の間隔（例えば１ｍ間隔）で配置する。これにより、各木材１１，１２，１３は格子状に重ねられるようになる。
【００１９】
そして、各木材１１，１２，１３の交差部にボルト１４を通してナット１５で締め付けることにより、各木材１１，１２，１３を相互に連結して木製枠体１０を完成させる。なお、ボルト・ナット１４，１５に代えて釘を打ち込んで連結することもできる。
【００２０】
図３に詳細に示したように、横木材１１，１３との交差部に相当する縦木材１２の側面に、横木材１１，１３の側面がそれぞれ嵌まり込む凹部１２ａを形成すると、各木材１１，１２，１３の縦横位置がずれないように位置決めすることができる。
【００２１】
上記隣り合う縦木材１２の間の下段横木材１１を乗り越えながら法面２に接地する樹脂コーティングのシート状金網（シート状体）１６が縦（上下）方向に設けられている。この金網１６の幅は、上記数値例であれば、例えば３００ｍｍ程度が好ましい。
【００２２】
上記金網１６は、乗り越え用窪みを形成した金属プレス品であっても良く、耐久性があれば合成樹脂製でも良い。また、金網１６は、下段横木材１１の全部を連続的に乗り越える必要は必ずしも無く、適当な箇所を間欠的に乗り越えるようにしても良い。
【００２３】
上記金網１６は、隣り合う上段横木材１３の間の中段縦木材１２を乗り越えながら法面２に接地するように、縦（上下）方向に設けることもできる。
【００２４】
また、上記金網１６は、隣り合う下段横木材１１の間の中段縦木材１２を乗り越えながら法面２に接地するように、横（左右）方向に設けることもできる。
【００２５】
上記木製枠体１０の横木材１１，１３と縦木材１２との間に形成される四角形の格子開口１７には、法面保護用兼シート状材重し用の石材１８がほぼ均等に並べ置かれている。上記石材１８は、石に限られず、コンクリートブロック等のように硬さと重さのある物体であれば良い。
【００２６】
上記のような堤防等１の法面２の保護構造であれば、堤防等１の法面２に、横木材１１，１３と縦木材１２とを格子状に重ねて相互にボルト・ナット１４，１５で連結してなる木製枠体１０を設ける。そして、下段横木材１１を乗り越えながら金網１６を法面２に接地させる。続いて、横木材１１，１３と縦木材１２との間に形成される格子開口１７に、法面保護用兼シート状材重し用の石材１８を並べ置くことにより、格子開口１７で石材１８の崩れ落ちが有効に防止できるようになる。
【００２７】
また、石材１８の重さで金網１６を押さえ込み、この金網１６で下段横木材１１を押さえ込むようになるから、木製枠体１０が水に浸かっても、その浮き上がりを防止できるので、木製枠体１０の浮き上がりを防止するために、法面２に杭を打つ必要がなくなる。
【００２８】
さらに、各木材１１，１２，１３は軽量であるので、現場への搬入、現場での組み立てが簡単になって、施工費の低減や施工期間の短縮が図れるとともに、間伐材を利用すればより安価である。
【図面の簡単な説明】
【図１】木製枠体であり、（ａ）は平面図、（ｂ）は正面図である。
【図２】木製枠体の側面図である。
【図３】木製枠体の要部拡大側面図である。
【図４】木製枠体を堤防等の法面に設置した側面図である。
【図５】従来の堤防等の法面保護構造の側面図である。
【符号の説明】
１      堤防等
２      法面
１０    木製枠体
１１    下段横木材
１２    中段縦木材
１３    上段横木材
１４，１５  ボルト・ナット
１６    金網（シート状体）
１７    格子開口
１８    石材
【図１】
2004270408.tif 000003
【図２】
2004270408.tif 000004
【図３】
2004270408.tif 000005
【図４】
2004270408.tif 000006
【図５】
2004270408.tif 000007